(57)【特許請求の範囲】
【請求項１】
２つのメインリレーＡ及びメインリレーＢと、
ヒューマンインタフェースと、
前記メインリレーＡのアドレス情報を含むメインリレーＡ識別データ及び前記メインリレーＢのアドレス情報を含むメインリレーＢ識別データと、
前記メインリレーＡと前記メインリレーＢとの間及び前記メインリレーＡ，Ｂと前記ヒューマンインターフェースとの間を接続する通信線と、
を備えた保護継電装置であって、
前記メインリレーＡ，Ｂのそれぞれは、プログラムサム値を同一とする当該メインリレーＡ，Ｂの両方のアドレス情報を含む同一のリレープログラムを有しており、前記保護継電装置が起動されたとき前記自身のアドレス情報を含むメインリレー識別データを読み込んで自身が持つリレープログラムに設定し、
前記リレープログラムは、保護対象から取り込んだ電流、電圧のアナログ情報をディジタルデータに変換するデータ取り込み処理と、変換されたディジタルデータを基に保護対象に障害が発生しているか否かを調べるリレー演算処理と、保護対象に障害が発生した場合に保護指令を出力する保護シーケンス処理と、他方のリレープログラムと前記ヒューマンインタフェースとの間で通信を行う通信処理と、を行い、
前記ヒューマンインタフェースは、保護対象に対する保護を行うか否かの判断基準となる電流、電圧の境界値である整定値データの変更を行う保守者からの入力操作を受け付けるとともに、保守者からの指示による各種の情報を出力して表示し、
前記メインリレーＡと前記メインリレーＢと前記ヒューマンインタフェースは、それぞれ独立した別々の各基板上に設置され、
前記通信線を配設したバックボード上に載置したＲＯＭには、前記メインリレーＡ，Ｂのそれぞれが有する自身のアドレス情報を含むメインリレー識別データが格納され、
前記２つのメインリレーＡ，Ｂに対するそれぞれのリレープログラムとして、同一のリレープログラムを製作してそれぞれ別の基板に設置する
ことを特徴とする保護継電装置。
【発明の詳細な説明】
【技術分野】
【０００１】
本発明は、保護継電装置に係り、特に、メインリレーを２重化して構成した、メイン−メイン構成のディジタル保護継電装置に関する。
【背景技術】
【０００２】
ディジタル保護継電装置は、保護対象である電力系統、電力機器等からそれらの各種状態を示す電流、電圧等のデータを取り込み、マイクロプロセッサを駆動するプログラムによって予め定められた処理手順に従って保護シーケンス処理を実行し、電力系統、電力機器等に事故が発生したと判断した場合に電力系統、電力機器等の保護を行う装置である。このため、ディジタル保護継電装置に含まれるマイクロプロセッサは、一定周期毎に電流、電圧のアナログデータの取り込み処理、リレー演算処理、保護シーケンス処理を実行している。
【０００３】
そして、従来技術によるディジタル保護継電装置は、信頼性向上の面から、ディジタル保護継電装置を構成する１つの部品の故障時、すなわち、単一部品故障時の誤動作防止のため、ハードウェアをメインリレー（主検出リレー）とＦＤリレー（事故検出リレー）とを独立して備えて構成されるのが普通である。このように構成されるディジタル保護継電装置は、メインリレーとＦＤリレーとのそれぞれが、電力系統、電力機器からの電流、電圧のデータの取り込み処理、リレー演算処理、保護シーケンス処理を実行し、保護対象の電力系統、電力機器に事故が発生したと判断した場合、それぞれで保護指令を出力し、それぞれの保護指令のＡＮＤ条件により、遮断器へ保護指令を出力するようにされている。
【０００４】
このようなメインリレーとＦＤリレーとにより構成されるディジタル保護継電装置は、ディジタル保護継電装置の単一部品故障発生時に、不要な動作をして電力系統、電力機器の保護を行うことができなくなることのあるものである。
【０００５】
前述を改善するための他の従来技術として、メインリレーを２重化して構成する、いわゆる、メイン−メイン構成のディジタル保護継電装置が、例えば、特許文献１等に記載されて知られている。この従来技術によるディジタル保護継電装置は、２重化された２つのメインリレーのそれぞれが自身の故障等を検出する機能を有し、２つのメインリレーが正常な場合、２つのメインリレーからの保護指令出力のＡＮＤ条件により保護対象の電力系統、電力機器の保護を行うが、ディジタル保護継電装置を構成する２つのメインリレーの一方の単一部品故障時には、正常な方のメインリレーのみで保護対象の保護を行うことを可能とするというものである。
【０００６】
一般に、ディジタル保護継電装置に含まれるマイクロプロセッサを駆動するプログラムは、ディジタル保護継電装置において重要な位置を占めるが、そのプログラムの実態は、電子データの集合体であり、ハードウェアのようにその機能が見た目に判りやすいものではない。そのため、保守者等は、プログラムの機能、内容について把握したい場合、プログラムコードを解析し、フローチャート等を記述したプログラム処理仕様書等のドキュメントにより把握しているのが一般的である。
【先行技術文献】
【特許文献】
【０００７】
【特許文献１】特開２００７−３１２５２５号公報
【発明の概要】
【発明が解決しようとする課題】
【０００８】
従来技術によるメイン−メイン構成のディジタル保護継電装置は、メインリレーＡとメインリレーＢとが、全く同一のアナログデータ取り込み処理、リレー演算処理、保護シーケンス処理を行うように構成されることとなるため、メインリレーＡとメインリレーＢとに実装されるリレープログラムが同一のものになると思われる。しかし、ディジタル保護継電装置を構成しているメインリレーＡ、メインリレーＢ及びヒューマンインタフェース（ＨＩ）の各部位間で通信を行う際、それぞれにアドレス情報を持たせる必要があり、前述の通信処理におけるメインリレーＡとメインリレーＢとのプログラムは、各メインリレーのアドレスが異なり、プログラムが異なるものとなる。このため、メインリレーＡとメインリレーＢとのリレープログラムは同一のものとはならない。
【０００９】
一般に、リレーのプログラムは、プログラムコードの総和であるプログラムサム値によって識別することが多く、プログラムサム値が同じであれば、同一のプログラムであり、プログラムサム値が異なれば違うプログラムであると判断されるのが一般的である。いま、仮に、メインリレーＡとメインリレーＢとのリレープログラムが同一のものであれば、プログラムサム値が同一となり、プログラムサム値より、両者のプログラムが同一のものであることが一目瞭然となる。このことは、リレープログラムの運用、保守においての利点となる。
【００１０】
一方、メインリレーＡとメインリレーＢとのプログラムが異なる場合、プログラムサム値も異なる値となる。この結果、プログラムサム値が異なることにより、両者のプログラムは、全体として異なるプログラムであることは判るが、プログラムのどの部分が異なり、どの部分が一致しているかがプログラムサム値から判別することができないことになる。
【００１１】
すなわち、従来技術によるメイン−メイン構成のディジタル保護継電装置は、２つのメインリレーでのアナログデータ取り込み処理、リレー演算処理、保護シーケンス処理が同一の処理であるが、各リレーに異なるアドレスが与えられているので、通信処理のみが異なることになる。このため、従来技術によるメイン−メイン構成のディジタル保護継電装置は、２つのリレーのプログラムサム値だけでは通信処理のみが異なるということを判断することができず、両者のプログラムが同一のものである場合に得られる前述したようなリレープログラムの運用、保守における利点を得ることができないという問題点を有している。
【００１２】
本発明の目的は、前述したような従来技術の問題点を解決し、リレープログラムをメインリレーＡ、メインリレーＢで同一のものを使用することを可能にし、リレープログラムの運用、保守等の管理を容易とした保護継電装置を提供することにある。
【課題を解決するための手段】
【００１３】
本発明によれば前記目的は、２つのメインリレーＡ及びメインリレーＢと、ヒューマンインタフェースと、前記メインリレーＡのアドレス情報を含むメインリレーＡ識別データ及び前記メインリレーＢのアドレス情報を含むメインリレーＢ識別データと、前記メインリレーＡと前記メインリレーＢとの間及び前記メインリレーＡ，Ｂと前記ヒューマンインターフェースとの間を接続する通信線と、を備えた保護継電装置であって、
前記メインリレーＡ，Ｂのそれぞれは、プログラムサム値を同一とする当該メインリレーＡ，Ｂの両方のアドレス情報を含む同一のリレープログラムを有しており、前記保護継電装置が起動されたとき前記自身のアドレス情報を含むメインリレー識別データを読み込んで自身が持つリレープログラムに設定し、前記リレープログラムは、保護対象から取り込んだ電流、電圧のアナログ情報をディジタルデータに変換するデータ取り込み処理と、変換されたディジタルデータを基に保護対象に障害が発生しているか否かを調べるリレー演算処理と、保護対象に障害が発生した場合に保護指令を出力する保護シーケンス処理と、他方のリレープログラムと前記ヒューマンインタフェースとの間で通信を行う通信処理と、を行い、
前記ヒューマンインタフェースは、保護対象に対する保護を行うか否かの判断基準となる電流、電圧の境界値である整定値データの変更を行う保守者からの入力操作を受け付けるとともに、保守者からの指示による各種の情報を出力して表示し、
前記メインリレーＡと前記メインリレーＢと前記ヒューマンインタフェースは、それぞれ独立した別々の各基板上に設置され、前記通信線を配設したバックボード上に載置したＲＯＭには、前記メインリレーＡ，Ｂのそれぞれが有する自身のアドレス情報を含むメインリレー識別データが格納され、前記２つのメインリレーＡ，Ｂに対するそれぞれのリレープログラムとして、同一のリレープログラムを製作してそれぞれ別の基板に設置することにより達成される。
【発明の効果】
【００１４】
本発明によれば、ディジタル保護継電装置を構成する２つのメインリレーに対するリレープログラムとして、同一の１つのメインリレープログラムを製作して、２つのメインリレーに使用させることにより、メイン−メイン構成のディジタル保護継電装置を提供することができ、リレープログラムの運用、保守等の管理を容易に行うことができる。
【図面の簡単な説明】
【００１５】
【図１】本発明の一実施形態によるディジタル保護継電装置の構成例を示すブロック図である。
【図２】本発明の実施形態によるディジタル保護継電装置が保護対象である電力系統の送電線を保護する動作の概要を説明する図である。
【図３】保護継電装置内のリレープログラムの構成を説明する図である。
【図４】メインリレーＡ内にメインリレーＡのアドレスを設定後のメインリレーＡとＨＩとの間での通信手順を説明するシーケンスチャートである。
【図５】作業者がＨＩからメインリレーＡに対して何等かの指示を行った場合のメインリレーＡとＨＩとの間での通信手順を説明するシーケンスチャートである。
【図６】メインリレーＢ内にメインリレーＢのアドレスを設定後のメインリレーＢとＨＩとの間での通信手順を説明するシーケンスチャートである。
【図７】作業者がＨＩからメインリレーＢに対して何等かの指示を行った場合のメインリレーＢとＨＩとの間での通信手順を説明するシーケンスチャートである。
【図８】本発明の他の実施形態によるディジタル保護継電装置の構成例を示すブロック図である。
【発明を実施するための形態】
【００１６】
以下、本発明による保護継電装置の実施形態を図面により詳細に説明する。
【００１７】
図１は本発明の一実施形態によるディジタル保護継電装置の構成例を示すブロック図、図２は本発明の実施形態によるディジタル保護継電装置が保護対象である電力系統の送電線を保護する動作の概要を説明する図である。
【００１８】
まず、図２を参照して、本発明の実施形態によるディジタル保護継電装置（以下、単に、保護継電装置という）が保護対象である電力系統の送電線を保護する動作の概要を説明する。図２に示す例では、保護対象である電力系統の送電線２６を本発明の実施形態による保護継電装置２３により保護する例を示している。
【００１９】
保護継電装置２３は、送電線に設置された計器用変成器２１から送電線２６の電流情報・電圧情報２２を取り込み、保護継電装置２３に実装される複数のメインリレー（本発明の実施形態では、メインリレーＡ、Ｂの２つとする）が、予め定められた処理手順に従って一定周期毎に保護リレー演算処理を行い、その結果、保護対象である電力系統の送電線２６に事故等の障害の発生を検出した場合、電力系統の送電線２６に設置される遮断器２４に保護指令２５を出力して、遮断器２４を遮断動作させるように動作する。
【００２０】
なお、前述した保護指令２５は、従来技術で説明したメイン−メイン構成の保護継電装置の場合と同様に、各メインリレーが自身が故障となったか否かを検出する機能を有しており、２重化された２つのメインリレーが正常な場合、２つのメインリレーからの保護指令のＡＮＤ条件により出力され、ディジタル保護継電装置を構成する２つのメインリレーの一方の単一部品故障時には、正常な方のメインリレーからの保護指令が出力される。
【００２１】
次に、図１を参照して、本発明の実施形態による保護継電装置の構成を説明する。
【００２２】
本発明の実施形態による保護継電装置１１（図２の保護継電装置２３に相当）は、メインリレーＡ１２、メインリレーＢ１３、ヒューマンインタフェース（ＨＩ）１４及びこれらを接続する通信線１５により構成されている。そして、前述のメインリレーＡ１２、メインリレーＢ１３、ヒューマンインタフェース（ＨＩ）１４のそれぞれは、独立した別々の基板上に構成されている。
【００２３】
また、メインリレーＡ１２、メインリレーＢ１３のそれぞれは、ＣＰＵ、ＲＡＭ、ＲＯＭ、ＥＥＰＲＯＭ等を備えて構成されており、ＲＯＭにはプログラム等が格納され、ＥＥＯＲＯＭには整定置データ等が格納される。ＲＡＭは、ＣＰＵがプログラムを実行して本発明の実施形態での処理を行う際のワークメモリとして使用される。また、ＨＩ１４は、前述と同様に、ＣＰＵ、ＲＡＭ、ＲＯＭ、ＥＥＰＲＯＭ等を備えて構成され、さらに、表示装置をも備えており、ＲＯＭにはプログラム等が格納される。
【００２４】
そして、メインリレーＡ１２は、リレープログラム１６、メインリレーＡのアドレスを含むメインリレーＡ識別データ１７を有して構成される。リレープログラム１６、メインリレーＡ識別データ１７は、ＲＯＭ、ＥＥＰＲＯＭに保持されている。リレープログラム１６は、保護継電装置１１の電源投入による起動時、または、自動監視機能でのリスタートによる起動時に、ＲＯＭからＲＡＭへコピーされ、以降、ＲＡＭ上でＣＰＵにより処理される。
【００２５】
また、メインリレーＡ１２のリレープログラム１６は、保護継電装置１１の起動時の初期化処理において、ＥＥＰＲＯＭに保持されたメインリレーＡ識別データ１７を読み込み、自プログラムがメインリレーＡ１２の上で動作するものであることを認識し、保護継電装置１１内の通信におけるアドレスをメインリレーＡのアドレスに設定する。
【００２６】
前述と同様に、メインリレーＢ１３は、リレープログラム１６、メインリレーＢのアドレスを含むメインリレーＢ識別データ１８を有して構成される。リレープログラム１６、メインリレーＢ識別データ１８は、ＲＯＭ、ＥＥＰＲＯＭに保持されている。リレープログラム１６は、保護継電装置１１の電源投入による起動時、または、自動監視機能でのリスタートによる起動時に、ＲＯＭからＲＡＭへコピーされ、以降、ＲＡＭ上でＣＰＵにより処理される。
【００２７】
また、メインリレーＢ１３のリレープログラム１６は、保護継電装置１１の起動時の初期化処理において、ＥＥＰＲＯＭに保持されたメインリレーＢ識別データ１８を読み込み、自プログラムがメインリレーＢ１３の上で動作するものであることを認識し、保護継電装置１１内の通信におけるアドレスをメインリレーＢのアドレスに設定する。
【００２８】
また、ＨＩ１４は、そのＲＯＭ内にＨＩプログラム１９が格納されており、ＨＩプログラム１９は、ＲＯＭからＲＡＭへコピーされ、ＲＡＭ上でＣＰＵにより処理され、保守者等からの各種の入力を受け付けて、例えば、整定置データの変更を行い、あるいは、保守者からの指示により、保護継電装置１１内の各種の情報を出力して表示する。
【００２９】
図３は保護継電装置１１内のリレープログラム１６の構成を説明する図である。
【００３０】
リレープログラム１６は、保護対象から取り込んだ電流、電圧のアナログ情報をディジタルデータに変換する処理を行うアナログデータ処理３１と、変換された電流、電圧情報のディジタルデータに基づいて、保護対象に故障等の障害が発生しているか否かを調べるリレー演算処理３２と、保護対象に故障等の障害が発生していた場合に、保護指令を出力する処理を行う保護シーケンス処理３３と、他方のリレープログラム、ＨＩとの間での通信の処理を行う通信処理３４とにより構成されている。
【００３１】
図４はメインリレーＡ１２内にメインリレーＡのアドレスを設定後のメインリレーＡ１２とＨＩ１４との間での通信手順を説明するシーケンスチャート、図５は作業者がＨＩ１４からメインリレーＡ１２に対して何等かの指示を行った場合のメインリレーＡ１２とＨＩ１４との間での通信手順を説明するシーケンスチャートであり、次に、これらについて説明する。なお、ここでは、図４に示して説明する処理の終了後に、図５に示す処理が実行されるものとして連続して説明する。
【００３２】
（１）メインリレーＡ１２は、ＨＩ１４に対してメインリレーＡ１２が起動したことを通知する（ステップＳ１０１）。
【００３３】
（２）メインリレーＡ１２から起動通知を受け取ったＨＩ１４は、メインリレーＡ１２にリレー演算処理で使用する設定データである、例えば、保護対象に対する保護を行うか否かの判断基準となる電流、電圧の境界値等である整定値データの送信を要求する。この要求を受け取ったメインリレーＡ１２は、内部に保持している整定値データをＨＩ１４に送信する（ステップＳ１０２）。
【００３４】
（３）次に、ＨＩ１４は、メインリレーＡ１２に、メインリレーＡ１２自身の正常、異常の状態情報及び自動監視の状態情報の送信を要求する。この要求を受け取ったメインリレーＡ１２は、自身の正常、異常の状態情報及び自動監視の状態の情報をＨＩ１４に送信する（ステップＳ１０３）。
【００３５】
（４）次に、ＨＩ１４は、メインリレーＡ１２に、メインリレーＡ１２が行っている処理の状態を示すシーケンスデータの送信を要求する。この要求を受け取ったメインリレーＡ１２は、シーケンスデータをＨＩ１４に送信する（ステップＳ１０４）。
【００３６】
（５）次に、ＨＩ１４は、メインリレーＡ１２に、入力された電気量（電圧、電流のアナログデータ）の送信を要求する。この要求を受け取ったメインリレーＡ１２は、入力された保護対象の電流、電圧を示す電気量をＨＩ１４に送信する（ステップＳ１０５）。
【００３７】
（６）その後、ステップＳ１０３〜ステップＳ１０５の処理を周期的に繰り返して実施する（ステップＳ１０６）。
【００３８】
前述までの処理におけるＨＩ１４からメインリレーＡ１２への要求は、ＨＩ１４が自律的に行うものであり、通常、保護継電装置がリレープログラム１６を使用して、保護対象を監視し保護のための処理を実行しているときに行われる処理である。また、ＨＩ１４は、要求の結果として、メインリレーＡ１３から受け取った情報を表示装置に表示する。
【００３９】
（７）ここで、作業者が、ＨＩ１４からメインリレーＡ１２の整定値データの変更を指示したものとする。この場合、ＨＩ１４は、メインリレーＡ１２に整定値データの変更の要求を送信すると共に、新しい整定値データを送信する。新しい整定値データと共に整定値データの変更の要求を受け取ったメインリレーＡ１２は、整定値データの変更を実施し、変更後の整定値データをＨＩ１４に送信する（ステップＳ１０７）。
【００４０】
（８）ステップＳ１０７の処理で、メインリレーＡ１２から変更後の整定値データ受け取ったＨＩ１４は、メインリレーＡ１２に、セーブデータ（動作内容データ）の送信を要求する。この要求を受け取ったメインリレーＡ１２は、動作内容データをＨＩ１４に送信する（ステップＳ１０８）。
【００４１】
（９）ＨＩ１４は、メインリレーＡ１２から受け取った情報を表示装置に表示しており、作業者が、メインリレーＡ１２の表示復帰（表示データの消去）を指示した場合、ＨＩ１４は、メインリレーＡ１２に表示復帰を要求する。この要求を受け取ったメインリレーＡ１２は、表示復帰を実施して動作内容データを消去し、消去したことをＨＩ１４に送信する（ステップＳ１０９）。
【００４２】
図６はメインリレーＢ１３内にメインリレーＢのアドレスを設定後のメインリレーＢ１３とＨＩ１４との間での通信手順を説明するシーケンスチャート、図７は作業者がＨＩ１４からメインリレーＢ１３に対して何等かの指示を行った場合のメインリレーＢ１３とＨＩ１４との間での通信手順を説明するシーケンスチャートであり、次に、これらについて説明する。なお、ここでは、図６に示して説明する処理の終了後に、図７に示す処理が実行されるものとして連続して説明する。
【００４３】
（１）メインリレーＢ１３は、ＨＩ１４に対してメインリレーＢ１３が起動したことを通知する。なお、メインリレーＢ１３の起動通知は、前述したステップＳ１０１でのメインリレーＡ１２の起動通知とタイミングが重ならないように、メインリレーＡ１２の起動通知より遅れて通知するよう予め設定しておく（ステップＳ２０１）。
【００４４】
（２）メインリレーＢ１３から起動通知を受け取ったＨＩ１４は、メインリレーＢ１３にリレー演算処理で使用する設定データである、例えば、保護対象に対する保護を行うか否かの判断基準となる電流、電圧の境界値等である整定値データの送信を要求する。この要求を受け取ったメインリレーＢ１３は、内部に保持している整定値データをＨＩ１４に送信する。なお、前述の整定値データ要求は、前述したステップＳ１０２におけるメインリレーＡ１２への整定値データ要求後に実施される（ステップＳ２０２）。
【００４５】
（３）次に、ＨＩ１４は、メインリレーＢ１３に、メインリレーＢ１３自身の正常、異常の状態情報及び自動監視の状態情報の送信を要求する。この要求を受け取ったメインリレーＢ１３は、自身の正常、異常の状態情報及び自動監視の状態の情報をＨＩ１４に送信する。なお、前述の状態情報データの要求は、前述したステップＳ１０３におけるメインリレーＡ１２への正常、異常の状態及び自動監視の状態情報の装置を要求した後に実施され（ステップＳ２０３）。
【００４６】
（４）次に、ＨＩ１４は、メインリレーＢ１３に、メインリレーＢ１３が行っている処理の状態を示すシーケンスデータの送信を要求する。この要求を受け取ったメインリレーＢ１３は、シーケンスデータをＨＩ１４に送信する。なお、前述のシーケンスデータの送信要求は、前述したステップＳ１０４におけるメインリレーＡ１２へのシーケンスデータの送信要求を行った後に実施される（ステップＳ２０４）。
【００４７】
（５）次に、ＨＩ１４は、メインリレーＢ１３に、入力された電気量（電圧、電流のアナログデータ）の送信を要求する。この要求を受け取ったメインリレーＢ１３は、入力された保護対象の電流、電圧を示す電気量をＨＩ１４に送信する。なお、前述の入力された電気量（電圧、電流のアナログデータ）の送信要求は、前述したステップＳ１０５におけるメインリレーＡ１２への入力電気量要求後に実施される（ステップＳ２０５）。
【００４８】
（６）その後、ステップＳ２０３〜ステップＳ２０５の処理を周期的に繰り返して実施する（ステップＳ２０６）。
【００４９】
前述までの処理におけるＨＩ１４からメインリレーＢ１３への要求は、ＨＩ１４が自律的に行うものであり、通常、保護継電装置がリレープログラム１６を使用して、保護対象を監視し保護のための処理を実行しているときに行われる処理である。また、ＨＩ１４は、要求の結果として、メインリレーＢ１３から受け取った情報を表示装置に表示する。
【００５０】
（７）ここで、作業者が、ＨＩ１４からメインリレーＢ１３の整定値データの変更を指示したものとする。この場合、ＨＩ１４は、メインリレーＢ１３に整定値データの変更の要求を送信すると共に、新しい整定値データを送信する。新しい整定値データと共に整定値データの変更の要求を受け取ったメインリレーＢ１３は、整定値データの変更を実施し、変更後の整定値データをＨＩ１４に送信する（ステップＳ２０７）。
【００５１】
（８）ステップＳ１０７の処理で、メインリレーＢ１３から変更後の整定値データ受け取ったＨＩ１４は、メインリレーＢ１３に、セーブデータ（動作内容データ）の送信を要求する。この要求を受け取ったメインリレーＢ１３は、動作内容データをＨＩ１４に送信する（ステップＳ２０８）。
【００５２】
（９）ＨＩ１４は、メインリレーＢ１３から受け取った情報を表示装置に表示しており、作業者が、メインリレーＢ１３の表示復帰（表示データの消去）を指示した場合、ＨＩ１４は、メインリレーＢ１３に表示復帰を要求する。この要求を受け取ったメインリレーＢ１３は、表示復帰を実施して動作内容データを消去し、消去したことをＨＩ１４に送信する（ステップＳ２０９）。
【００５３】
図８は本発明の他の実施形態によるディジタル保護継電装置１１の構成例を示すブロック図である。
【００５４】
本発明の他の実施形態による保護継電装置１１（図２の保護継電装置２３に相当）は、メインリレーＡ１２、メインリレーＢ１３、ヒューマンインタフェース（ＨＩ）１４及びこれらを接続する通信線１５を有するバックボード４０により構成されている。そして、メインリレーＡ１２、メインリレーＢ１３のそれぞれは、リレープログラム１６を備えて構成されており、バックボード４０上には、ＥＥＰＲＯＭに格納されたメインリレーＡ識別情報４１、メインリレーＢ識別情報４２を有している。
【００５５】
そして、メインリレーＡ１２、メインリレーＢ１３を有する本発明の他の実施形態による保護継電装置１１は、メインリレーＡ識別情報４１（メインリレーＡ識別データ１７に相当）、メインリレーＢ識別情報４２（メインリレーＢ識別データ１８に相当）がバックボード４０上に設けられる点を除いて、図１により説明したものと基本的に同一に構成され、同様に動作するので、その構成及び動作の説明を省略する。
【符号の説明】
【００５６】
１１、２３  ディジタル保護継電装置
１２  メインリレーＡ
１３  メインリレーＢ
１４  ヒューマンインタフェース（ＨＩ）
１５  通信路
１６  メインリレープログラム
１７  メインリレーＡ識別データ
１８  メインリレーＢ識別データ
１９  ＨＩプログラム
２１  計器用変成器
２４  遮断器
２６  保護対象である電力系統の送電線
４０  バックボード
４１  メインリレーＡ識別情報
４２  メインリレーＢ識別情報
【図１】
0005604262.tif 000002
【図２】
0005604262.tif 000003
【図３】
0005604262.tif 000004
【図４】
0005604262.tif 000005
【図５】
0005604262.tif 000006
【図６】
0005604262.tif 000007
【図７】
0005604262.tif 000008
【図８】
0005604262.tif 000009